(57)【要約】【課題】ミスト用熱交換器での一次側と二次側との間のリークを検出して運転を止めることができるようにする。【解決手段】熱源機１から供給される温水が循環する温水循環管路２と、温水をミスト状に噴霧するミストノズル４と、ミストノズル４に上水を供給するミスト用給水管路５と、ミスト用給水管路５に配置された給水開閉弁６と、温水循環管路２を流れる温水でミスト用給水管路５を流れる水を加熱するためのミスト用熱交換器７とを備える。そして熱源機１から温水循環管路２に温水を流す温水循環運転を行い、ミスト用給水管路５の水の温度の監視を行なうことによりミスト用熱交換器７における温水循環管路２とミスト用給水管路５との間のリークを検出したとき運転を停止する安全装置を備える。【選択図】        図６
2006068129.tif 000002
【特許請求の範囲】
【請求項１】
熱源機と接続して熱源機から供給される温水が循環する温水循環管路と、浴室内にミストサウナ用の温水をミスト状に噴霧するミストノズルと、ミストノズルに上水を供給するミスト用給水管路と、ミスト用給水管路に配置されて給水を開閉する給水開閉弁と、温水循環管路を流れる温水でミスト用給水管路を流れる水を加熱するため温水循環管路とミスト用給水管路との間に設けられたミスト用熱交換器とを備え、熱源機から温水循環管路に温水を流す温水循環運転を行い、ミスト用給水管路の水の温度の監視を行なうことによりミスト用熱交換器における温水循環管路とミスト用給水管路との間のリークを検出したとき運転を停止する安全装置を備えたことを特徴とするミストサウナ装置。
【請求項２】
ミストサウナ運転に先立って熱源機から温水循環管路に温水を循環させる運転を行って給水開閉弁を閉じた状態でのミスト用給水管路の水の温度を監視し、ミスト用給水管路の水の温度上昇が所定値以上認められたときミスト用熱交換器での温水循環管路からミスト用給水管路に流出するリークを検出するようにしたことを特徴とする請求項１記載のミストサウナ装置。
【請求項３】
ミスト用熱交換器より下流側でミスト用給水管路からミスト用排水管路を分岐すると共にミスト用排水管路に排水開閉弁を設け、ミスト用給水管路のミストノズルの手前にミスト開閉弁を設け、給水開閉弁及びミスト開閉弁を閉じ且つ排水開閉弁を開いた状態で、ミストサウナ運転に先立って熱源機から温水循環管路に温水を循環させる運転を行って温水循環管路の温水の温度が所定温度に上昇してからミスト用給水管路の水の温度を監視し、ミスト用給水管路の水の温度上昇が所定値以上認められたときミスト用熱交換器での温水循環管路からミスト用給水管路に流出するリークを検出するようにしたことを特徴とする請求項１または請求項２記載のミストサウナ装置。
【請求項４】
熱源機から温水循環管路に温水を循環させる運転を行って温水循環管路の温水の温度が所定温度以上に上昇してから給水開閉弁を開いてミストサウナ運転を行ったとき、所定時間内にミスト用給水管路の水の温度が所定値以上の温度にならない場合、ミスト用熱交換器でのミスト用給水管路から暖房循環管路に流出するリークを検出するようにしたことを特徴とする請求項１記載のミストサウナ装置。
【発明の詳細な説明】
【技術分野】
【０００１】
本発明は、浴室に温水をミスト状に噴霧してミストサウナ浴できるミストサウナ装置に関するものである。
【背景技術】
【０００２】
近年、浴室の天井等に設置して浴室の暖房や浴室の乾燥や浴室の換気や浴室の送風を行う浴室暖房乾燥機において、浴室内に温水をミスト状に噴霧してミストサウナ浴もできるようにしたミストサウナ機能付き浴室暖房乾燥機（例えば、特許文献１参照）が提供されている。
【０００３】
かかるミストサウナ機能付き浴室暖房乾燥機では、熱源機と接続して熱源機から供給される温水が循環する温水循環管路と、温水循環管路に配置された温風を発生するための温風用熱交換器と、温水循環管路に設けられたミスト加熱用管路と、浴室内にミストサウナ用の温水をミスト状に噴霧するミストノズルと、ミストノズルに上水を供給するミスト用給水管路と、ミスト用給水管路に配置されて給水を開閉する給水開閉弁と、ミスト加熱用管路を流れる温水でミスト用給水管路を流れる水を加熱するためにミスト加熱用管路とミスト用給水管路との間に設けられたミスト用熱交換器とを備えている。そして熱源機を運転して温水循環管路に温水を循環させた状態で給水開閉弁を開いてミスト用給水管路に水を供給すると、ミスト用熱交換器で熱交換することによりミスト用給水管路を流れる水を加熱してミストノズルから温水をミスト状に噴霧してミストサウナ浴ができるようになっている。
【特許文献１】特開２００３−３３４２３０号公報
【発明の開示】
【発明が解決しようとする課題】
【０００４】
上記ミスト用熱交換器は液―液熱交換器であるが、この液―液熱交換器としてはプレート式熱交換器が使用される場合が多い。ところが、プレート式熱交換器ではプレートにより一次側（温水循環管路側）と、二次側（ミスト用給水管路側）とが区分されているだけであり、プレートの亀裂や腐食、蝋付け不良が発生した場合、一次側と二次側の間がリーク状態となり、次のような問題がある。
（１）ミスト用給水管路に水を供給する水道水圧が高い場合、水道水が温水循環管路に流れ込み、熱源機側から溢れる。つまり、熱源機の補給水のオーバーフロー状態となる。
（２）ミスト用給水管路に水を供給する水道水圧が低い場合、温水循環管路を流れる循環水が二次側に流れ込み、余り清潔でない水がミストとして噴霧されるおそれがあり、特に不凍液が循環水に混入されている場合、不凍液がミストとして噴霧されるという問題がある。  
【０００５】
本発明は上記の従来の問題点に鑑みて発明したものであって、ミスト用熱交換器での一次側と二次側との間のリークを検出することができ、リーク状態になっても熱源機側への給水のリークを早く止めたり、温水循環管路の循環水がミストとして噴霧されるのを防止したりできるミストサウナ装置を提供することを課題とするものである。
【課題を解決するための手段】
【０００６】
上記課題を解決するために本発明のミストサウナ装置は、熱源機１と接続して熱源機１から供給される温水が循環する温水循環管路２と、浴室３内にミストサウナ用の温水をミスト状に噴霧するミストノズル４と、ミストノズル４に上水を供給するミスト用給水管路５と、ミスト用給水管路５に配置されて給水を開閉する給水開閉弁６と、温水循環管路２を流れる温水でミスト用給水管路５を流れる水を加熱するため温水循環管路２とミスト用給水管路５との間に設けられたミスト用熱交換器７とを備え、熱源機１から温水循環管路２に温水を流す温水循環運転を行い、ミスト用給水管路５の水の温度の監視を行なうことによりミスト用熱交換器７における温水循環管路２とミスト用給水管路５との間のリークを検出したとき運転を停止する安全装置を備えたことを特徴とする。このように構成したことにより、ミスト用熱交換器７の一次側（温水循環管路２側）と二次側（ミスト用給水管路５側）との間でリークがあってもリークを検出して運転を停止でき、リーク状態になっても熱源機１側へのリークを早く止めたり、温水循環管路２の循環水がミストとして噴霧されるのを防止したりできる。
【０００７】
またミストサウナ運転に先立って熱源機１から温水循環管路２に温水を循環させる運転を行って給水開閉弁６を閉じた状態でのミスト用給水管路５の水の温度を監視し、ミスト用給水管路５の水の温度上昇が所定値以上認められたときミスト用熱交換器７での温水循環管路２からミスト用給水管路５に流出するリークを検出するようにしたことを特徴とする。この場合、一次側から二次側へのリークを容易に検出でき（温水循環管路２から温度の高い温水がミスト用給水管路５にリークするとミスト用給水管路５の水の温度が急激に上昇する）、このリークの検出にて運転を停止することにより温水循環管路２の循環水がミストとして噴霧されたりする弊害を防止できる。
【０００８】
またミスト用熱交換器７より下流側でミスト用給水管路５からミスト用排水管路２５を分岐すると共にミスト用排水管路２５に排水開閉弁２６を設け、ミスト用給水管路５のミストノズル４の手前にミスト開閉弁２１ａ，２１ｂを設け、給水開閉弁６及びミスト開閉弁２１ａ，２１ｂを閉じ且つ排水開閉弁２６を開いた状態で、ミストサウナ運転に先立って熱源機１から温水循環管路２に温水を循環させる運転を行って温水循環管路２の温水の温度が所定温度に上昇してからミスト用給水管路５の水の温度を監視し、ミスト用給水管路５の水の温度上昇が所定値以上認められたときミスト用熱交換器７での温水循環管路２からミスト用給水管路５に流出するリークを検出するようにしたことを特徴とする。この場合も、一次側から二次側へのリークを容易に検出でき、このリークの検出にて運転を停止することにより温水循環管路２の循環水がミストとして噴霧されたりする弊害を防止できる。またこの場合、排水開閉弁２６が開かれ且つミスト開閉弁２１ａ，２１ｂが閉じられているためにリークがあってもミスト用排水管路２５から排水されてミストノズル４から噴霧されることがないために温水循環管路２の循環水が噴霧される弊害を防止できる。
【０００９】
また熱源機１から温水循環管路２に温水を循環させる運転を行って温水循環管路２の温水の温度が所定温度以上に上昇してから給水開閉弁６を開いてミストサウナ運転を行ったとき、所定時間内にミスト用給水管路５の水の温度が所定値以上の温度にならない場合、ミスト用熱交換器７でのミスト用給水管路５から暖房循環管路２に流出するリークを検出するようにしたことを特徴とする。この場合、二次側から一次側へのリークを容易に検出することができ（ミスト給水管路５から温度の低い水が温水循環管路２にリークすると温水循環管路２の温水の温度が下がってミスト用給水管路５の水の温度が上がらない）、このリークの検出にて運転を停止することによりミスト用給水管路５から温水循環管路２に水が流れ込んで熱源機１からオーバーフローするのを防止できる。
【発明の効果】
【００１０】
本発明は叙述の如く構成されているので、ミスト用熱交換器の一次側と二次側との間でリークがあってもリークを検出して運転を停止でき、リーク状態になっても熱源機側へのリークを早く止めたり、温水循環管路の循環水がミストとして噴霧されるのを防止したりできるという効果がある。
【発明を実施するための最良の形態】
【００１１】
以下、本発明を添付図面に示す実施形態に基いて説明する。本実施の形態の例では本発明ミストサウナ装置をミストサウナ付き浴室暖房乾燥機（以下、単に浴室暖房乾燥機という）Ａに用いた例により説明する。図１や図２に示す浴室暖房乾燥機Ａは浴室３内の暖房をしたり、浴室３内の換気をしたり、浴室３内に干した洗濯物を乾燥したり、浴室３内に送風したりする機能以外に、浴室３内に温水をミスト状に噴霧してミストサウナ浴を行える機能を有する。この浴室暖房乾燥機Ａは浴室暖房乾燥機本体１０と浴室暖房乾燥機本体１０の下面に装着したグリル板１１にて主体が構成されている。浴室暖房乾燥機本体１０は天井裏に配置してあり、吊り金具１２等にて天井スラブ等に吊り支持してあり、浴室暖房乾燥機本体１０の下面を天井板１３の開口に臨ませてある。天井板１３の下から開口を覆うようにグリル板１１が配置され、グリル板１１が浴室暖房乾燥機本体１０の下面側に取り付けられている。このようにすることで浴室暖房乾燥機本体１０の周縁の下面とグリル板１１の周縁との間に天井板１３の開口の周縁を挟むようにグリル板１１が取り付けられている。
【００１２】
浴室暖房乾燥機本体１０内には温風用熱交換器１４や送風機１５を内装してある。この温風用熱交換器１４は内部に温水を通すことで外部を流れる空気と熱交換するようになっている。またこの温風用熱交換器１４は浴室暖房乾燥機本体１０に配管した温水循環管路２の途中に配置してあり、温水循環管路２には給湯暖房機のような熱源機１から温水が供給されて温水が循環するようになっている。温水循環管路２の途中には温風用熱交換器１４への温水の供給の開閉を行う熱動弁のような暖房用開閉弁２７を設けてあり、また温水循環管路２の途中にはこの管路を流れる温水の温度を検出する暖房温水サーミスタＴＨ２を配置してある。また上記送風機１５には循環用ファン１５ａと換気用ファン１５ｂとがある。浴室暖房乾燥機本体１０の吹き出し口１６と対応する位置には吹き出し口１６を開閉する可動ルーバー１７を回転自在に装着してある。グリル板１１には浴室３内の空気を吸い込む吸い込み口１８を設けてあり、この吸い込み口１８の近傍には浴室３内の温度を検出する浴室温度サーミスタＴＨ３を配置してある。浴室暖房乾燥機Ａは浴室３の壁面に設けた操作器１９で操作できるようになっている。
【００１３】
浴室３内を暖房する暖房運転をする場合、暖房用開閉弁２７を開いて温風用熱交換器１４に温水を供給し、換気用ファン１５ｂを停止状態にすると共に循環用ファン１５ａを駆動し、可動ルーバー１７を開状態にして吹き出し口１６を開いておく。すると、浴室３内の空気が吸い込み口１８から浴室暖房乾燥機本体１０内に吸い込まれ、温風用熱交換器１４で温水と熱交換することで加熱された温風が吹き出し口１６から吹き出されるように空気が循環し、浴室３内が暖房される。
【００１４】
浴室３内の換気をする換気運転する場合、暖房用開閉弁２７を閉じて温風用熱交換器１４への温水の供給を停止し、循環用ファン１５ａを停止すると共に換気用ファン１５ｂを駆動し、可動ルーバー１７を閉状態にして吹き出し口１６を閉じておく。すると、浴室３内の空気が吸い込み口１８から浴室暖房乾燥機本体１０に吸い込まれ、排気ダクト３０を介して外部に排気され、浴室３内の換気が行われる。
【００１５】
浴室３内を乾燥したり、浴室３内に干した洗濯物を乾燥したりする乾燥運転を行う場合、暖房用開閉弁２７を開いて温風用熱交換器１４に温水を供給し、循環用ファン１５ａ及び換気用ファン１５ｂを駆動し、可動ルーバー１７を開状態にして吹き出し口１６を開いておく。すると、浴室３内の空気が吸い込み口１８から浴室暖房乾燥機本体１０内に吸い込まれ、温風用熱交換器１４で温水と熱交換することで加熱された温風が吹き出し口１６から吹き出すように空気が循環し、一方、浴室暖房乾燥機本体１０内に吸い込まれた空気の一部が排気ダクト３０を介して外部に排気される。これにより浴室３内の湿度が下がり、浴室３内の乾燥や浴室３内に干した洗濯物の乾燥が行われる。
【００１６】
浴室３内に涼風を送風する場合は、暖房用開閉弁２７を閉じて温風用熱交換器１４への温水の供給を停止し、換気用ファン１５ｂを停止状態にすると共に循環用ファン１５ａを駆動し、可動ルーバー１７を開状態にして吹き出し口１６を開いておく。すると、浴室３内の空気が吸い込み口１８から浴室暖房乾燥機本体１０内に吸い込まれ、吹き出し口１６からその空気が吹き出されるように空気が循環し、浴室３内に涼風の送風が行われる。
【００１７】
また本発明ではこのような浴室暖房乾燥機Ａにミストサウナの機能を持たせるためにミストサウナ部２０を組み込んである。ミストサウナ部２０のミストノズル４はグリル板１１の部分に配置してあり、ミスト用給水管路５をミストノズル４に連通させてある。本例の場合、ミストノズル４としては２つのミストノズル４ａ，４ｂがあり、各ミストノズル４ａ，４ｂは例えば０．５リットル／ｍｉｎ程度の流量で温水のミストを噴霧するようになっている。ミストノズル４ａ，４ｂの手前には電磁弁のようなミスト開閉弁２１ａ，２１ｂを設けてあり、ミスト開閉弁２１ａ，２１ｂの開閉にてミストノズル４ａやミストノズル４ｂから選択的にミストが噴霧されるようになっている。２つのミストノズル４ａ，４ｂから温水のミストを噴霧するとミストサウナ強で運転でき、一方のミストノズル４ａまたはミストノズル４ｂから温水のミストを噴霧するとミストサウナ弱で運転できるようになっている。本例の場合、ミストサウナ部２０は浴室暖房乾燥機本体１０の上に搭載してある。
【００１８】
ミスト用給水管路５には水道水のような上水が供給されるようになっており、入口側にストレーナ２２、電磁弁のような給水開閉弁６を設けてある。上記温水循環管路２には温風用熱交換器１４と並列になるようにミスト加熱用管路２３を設けてあり、このミスト加熱用管路２３の途中にはミスト加熱用管路２３を流れる温水の流れを制御する比例弁２４を設けてある。温水循環管路２のミスト加熱用管路２３とミスト用給水管路５との間にはプレート式熱交換器など液−液熱交換器であるミスト用熱交換器７を配置してあり、ミスト加熱用管路２３を流れる温水でミスト用給水管路５を流れるミスト用の水が加熱されるようになっている。このミスト用熱交換器７としてのプレート式熱交換器は例えば図４に示すように複数枚の波状をした伝熱プレート７ａを内装することにより熱交換する流路を形成してある。ミスト用熱交換器７とミスト開閉弁２１ａ，２１ｂとの間でミスト用給水管路７からミスト用排水管路２５を分岐してあり、ミスト用給水管路５内の水をミスト用排水管路２５から浴室３内や浴室３外に排出できるようになっている。ミスト用排水管路２５には電磁弁のような排水開閉弁２６と負圧を発生して排水が逆流するのを防止するバキュームブレーカ２８を設けてある。またミスト用熱交換器７とミスト開閉弁２１ａ，２１ｂとの間でミスト用給水管路５にはミスト用給水管路５を流れる温水の温度を検出するミスト温度サーミスタＴＨ１を配置してある。
【００１９】
ミストサウナ浴をする場合、給水開閉弁６を開いてミスト用給水管路５に給水されると共に比例弁２４を開いてミスト加熱用管路２３に温水が循環させられる。これによりミスト用熱交換器７にてミスト用給水管路５に流れる水が加熱されて温水がミスト用給水管路５を流れる状態になる。この状態でミスト開閉弁２１ａ，２１ｂが開かれると、温水のミストがミストノズル４ａ，４ｂから選択的に噴霧されてミストサウナ浴が行われる。このとき両方のミストノズル４ａ，４ｂからミストを噴霧するとミストサウナ強で運転することができてハードなミストサウナ浴ができ、また一方のミストノズル４ａまたはミストノズル４ｂからミストを噴霧するとミストサウナ弱で運転できてソフトなミストサウナ浴ができる。またこのようにミストサウナ浴をするときは浴室暖房機Ａが前述のように暖房運転されて浴室３内の温度が上げられ、快適にミストサウナ浴ができるようになっている。
【００２０】
図５は浴室暖房乾燥機Ａの制御回路を示し、操作器１９の操作にて制御部２９で制御されて上記のように動作するようになっている。
【００２１】
ところで、ミストサウナを行うために温水循環管路２のミスト加熱用管路２３とミスト用給水管路５との間にミスト用熱交換器７が設けてあるが、本発明ではミスト用熱交換器７の一次側と二次側との間のリークを検出する機能を持たせてあり、リークを検出した場合運転を終了するようになっている。このミスト用熱交換器７のリークの検査は下記のリーク検査シーケンスで行うが、このリーク検査シーケンスで検査を行うのは浴室暖房乾燥機Ａの乾燥、暖房、ミストサウナ運転後、所定時間経過（例えば１２時間）以降にミストサウナ運転をするときのみ行うようになっている。
【００２２】
リーク検査シーケンスの一例のシーケンス（１）について説明する。但し、下記のＸは検査開始直前の暖房用温水管路２の水の温度、Ｙは検査開始直前のミスト用給水管路５の水の温度である。ミストサウナ運転開始指令（操作器１９によるリモコン操作）により熱源機１をオンすると共に暖房用開閉弁２７及び比例弁２４を開いて暖房運転を行う。そして暖房温水サーミスタＴＨ２にて温水循環管路２を循環する温水の温度を監視して温水循環管路２の温水の温度が所定温度（例えばＸ＋１５℃）まで上昇してきたことを起点としてミスト温度サーミスタＴＨ１にてミスト用給水管路５の水の温度の監視を行い、万が一、所定時間内（例えば３０秒）にミスト用給水管路５の水の温度上昇が、所定値（例えばＹ＋１５℃）以上認められた場合、リークがあると判断して異常を報知し、運転を終了するようになっている。つまり、リーク検査シーケンス開始時、給水開閉弁６が閉じているが、排水開閉弁２６またはミスト開閉弁２１ａ，２１ｂが開かれている（本例の場合、排水開閉弁２６だけが開放されている）のでミスト用熱交換器７の一次側と二次側との間にリークがあると、温水循環管路２の循環水がミスト用給水管路５に流れ込み、ミスト用給水管路５の水の温度が所定値（例えばＹ＋１５℃）以上になる。従って、ミスト用給水管路５の水の温度が所定値以上になるか否かでリークの有無を判定できる。具体的な一例としては、暖房温水サーミスタＴＨ２の温度がＸ＋１５℃（例えば３０℃→４５℃）に到達した時から、３０秒以内にミスト温度サーミスタＴＨ１の温度がＹ＋１５℃（例えば３０℃→４５℃）に達した時、ミスト用熱交換器７のリークと判定する。なお、上記Ｘ＋１５℃の上限は６０℃、下限は５０℃とし、Ｙ＋１５℃の上限は７５℃、下限は４０℃とする。また本例の場合、リーク検査シーケンス開始時に排水開閉弁２６が開いているが、機器によっては排水経路２５がない場合もあり、この場合ミスト開閉弁２１ａ，２１ｂを開くようになっている。
【００２３】
次に上記シーケンス（１）についてさらに具体的に図６、図７に示すタイムチャートにより説明する。図６はミスト用熱交換器７にリークがない場合の正常な時の運転開始シーケンスである。運転を停止しているときは暖房用開閉弁２７が閉、循環用ファン１５ａがオフ、比例弁２４が全閉、給水開閉弁６が閉、ミスト開閉弁２１ａ，２１ｂが閉、排水開閉弁２６が閉であるが、ミストサウナの運転開始指令によりリーク検査シーケンスになると、熱源機１がオン、暖房用開閉弁２７が開、循環用ファン１５ａがオン、比例弁２４が全開、排水開閉弁２６が開となり（給水開閉弁６とミスト開閉弁２１ａ，２１ｂは閉じたままである）、温水循環管路２に温水が循環する。リーク検査シーケンスに入って暖房温水サーミスタＴＨ２で監視する温度が所定温度（Ｘ＋１５℃）になった時点から３０秒後にミスト温度サーミスタＴＨ１で監視する温度が所定温度（Ｙ＋１５℃）になったか判定さ
れる。図６の場合、ミスト温度サーミスタＴＨ１が所定温度（Ｙ＋１５℃）以上を検出しないのでリークがないと判定され、初期排水シーケンスに移り、給水開閉弁６が開かれてミスト用給水管路５内に給水され、ミスト用給水管路５内に滞留している水が排水管路２５から排水されてミスト用給水管路５が新しい水に入れ替えられる。初期排水シーケンスを開始してから３０秒経過すると、ミスト噴霧シーケンスに移り、ミスト開閉弁２１ａ，２１ｂが開かれ、その後排水開閉弁２６が閉じられる。ミスト開閉弁２１ａ，２１ｂが開放されることによりミストノズル４ａ，４ｂから温水のミストが噴霧される。このとき比例弁２４を開閉制御することによりミストの温度が制御される。
【００２４】
図７はミスト用熱交換器７にリークがある場合の異常な時の運転開始シーケンスである。上記のようにミストサウナの運転開始指令によりリーク検査シーケンスになると、熱源機１がオン、暖房用開閉弁２７が開、循環用ファン１５ａがオン、比例弁２４が全開、排水開閉弁２６が開となり、温水循環管路２に温水が循環し、リーク検査シーケンスに入って暖房温水サーミスタＴＨ２で監視する温度が所定温度（Ｘ＋１５℃）になった時点から３０秒後にミスト温度サーミスタＴＨ１で監視する温度が所定温度（Ｙ＋１５℃）になったか判定される。図７の場合、ミスト温度サーミスタＴＨ１が所定温度（Ｙ＋１５℃）以上の温度を検出したのでリークがあると判定され、異常が報知されると共に暖房用開閉弁２７が閉、循環ファン１５ａがオフ、比例弁２４が全閉、排水開閉弁２６が閉とされて運転が停止される。
【００２５】
上記のようにしてミスト用熱交換器７の一次側と二次側とのリークが検出できるが、一次側と二次側のリークが微小の場合、上記シーケンス（１）では検出できない場合がある。
リークが微小の場合でも、ミスト用給水管路５への給水圧が高い時はミスト用熱交換器７で二次側から一次側への給水の大量のリークがあり、熱源機１のオーバーフロータンクから大量の水が排水される。
【００２６】
これを防止する対策として次のシーケンス（２）でリークを検出するようになっている。ミストサウナ運転を開始して温水循環管路２に温水を循環させる暖房運転をしてから給水開閉弁６を開いた時、給水開閉弁６を開いてから所定時間内にミスト温度サーミスタＴＨ１で監視するミスト用給水管路５の水の温度が所定温度にならない場合、二次側から一次側にリークしていると判断してリークを検出することができる。つまり、ミスト用給水管路５への給水により、大量の水が熱源機１側に流れ込むため、熱源機１を最大運転しても温水循環管路２に循環する水の温度が低くなり、この結果ミスト温度サーミスタＴＨ１で検出するミスト用給水管路５の水の温度が所定温度まで上昇しない。この場合、給水開閉弁６の開により暖房温水サーミスタＴＨ２で検出する温水循環管路２の温水の温度も低い温度の検出となる。このようにしてミスト用熱交換器７のリークを検出したときも、異常の警報が報知されると共に運転が停止される。
【図面の簡単な説明】
【００２７】
【図１】本発明の実施の形態の一例の浴室暖房乾燥機の内部の配管を説明する管路図である。
【図２】同上の浴室暖房乾燥機の断面図である。
【図３】同上の浴室暖房乾燥機を浴室に設置した状態の一部切欠斜視図である。
【図４】同上のプレート型熱交換器の内部構造を説明する断面図である。
【図５】同上の浴室暖房乾燥機の制御回路のブロック図である。
【図６】同上の運転開始シーケンスのタイムチャートであり、リークのない正常な状態を示すものである。
【図７】同上の運転開始シーケンスのタイムチャートであり、リークのある異常な状態を示すものである。
【符号の説明】
【００２８】
１  熱源機
２  温水循環管路
３  浴室
４  ミストノズル
５  ミスト用給水管路
６  給水開閉弁
７  ミスト用熱交換器
２１ａ，２１ｂ  ミスト開閉弁
２５  ミスト用排水管路
２６  排水開閉弁
【図１】
2006068129.tif 000003
【図２】
2006068129.tif 000004
【図３】
2006068129.tif 000005
【図４】
2006068129.tif 000006
【図５】
2006068129.tif 000007
【図６】
2006068129.tif 000008
【図７】
2006068129.tif 000009